【事件の表示】
　特願２０１４−　７６５９５「複数切換可能なキーボード」拒絶査定不服審判事件〔平成２６年　９月２５日出願公開、特開２０１４−１７９１０６〕について、次のとおり審決する。
【結　論】
　本件審判の請求は、成り立たない。
【理　由】
第１．手続の経緯
　本願は、出願日が平成２３年４月４日である実願２０１１−１８４８号（以下、「原出願」という。）を特許法第４６条第１項の規定により平成２６年４月３日に特許出願に変更したものであって、平成２７年７月２８日付けで拒絶理由通知がなされ、同年９月２５日付けで手続補正がなされたが、平成２８年２月１日付けで拒絶査定がなされ、これに対し、同年６月７日付けで拒絶査定不服審判の請求がされるとともに、同時に手続補正がなされたものである。
　
第２．平成２８年６月７日付の手続補正についての補正却下の決定
　
［補正却下の決定の結論］
　　平成２８年６月７日付の手続補正（以下、「本件補正」という。）を却下する。
　
［理由］
１．補正の内容
　本件補正は、補正前の特許請求の範囲の請求項１を、補正後の特許請求の範囲の請求項１に変更する補正事項を含むものである。
そして、補正前の請求項１及び補正後の請求項１の各記載は、それぞれ、以下のとおりである。
　なお、〈補正後の請求項１〉における下線は補正箇所を表している。
〈補正前の請求項１〉
　「【請求項１】
　複数切換可能なキーボードであって、
　複数の接続可能な情報端末（１）から複数組の通信機器情報を取得するブルートゥースデバイス（３２）と、
　予め複数のデータテーブル（２３１）が設定されるメモリユニット（２３）と、
　前記情報端末（１）の通信機器情報を前記メモリユニット（２３）の前記データテーブル（２３１）に保存し、前記ブルートゥースデバイス（３２）、前記メモリユニット（２３）と電気的に接続される制御ユニット（２１）と、
　使用者の操作により対応する選択信号を発信する回路ユニット（２２）と、
　を備え、
　前記制御ユニット（２１）は前記メモリユニット（２３）の前記データテーブル（２３１）から前記選択信号と対応する前記情報端末（１）の通信機器情報を読み取り、前記ブルートゥースデバイス（３２）を前記情報端末（１）に接続させ、且つ前記回路ユニット（２２）に、文字信号を前記情報端末（１）に送信させる複数のボタン及び複数の装置切換ボタン（２４）を備え、異なる前記装置切換ボタン（２４）は前記回路ユニット（２２）に異なる前記データテーブル（２３１）に対応した選択信号を発生させる
ことを特徴とする複数切換可能なキーボード。」
〈補正後の請求項１〉
　「【請求項１】
　複数切換可能なキーボードであって、
　複数の接続可能な情報端末（１）から複数組の通信機器情報を取得するブルートゥースデバイス（３２）と、
　予め複数のデータテーブル（２３１）が設定されるメモリユニット（２３）と、
　前記情報端末（１）の通信機器情報を前記メモリユニット（２３）の前記データテーブル（２３１）に保存し、前記ブルートゥースデバイス（３２）、前記メモリユニット（２３）と電気的に接続される制御ユニット（２１）と、
　使用者の操作により対応する選択信号を発信する回路ユニット（２２）と、
　を備え、
　前記制御ユニット（２１）は前記メモリユニット（２３）の前記データテーブル（２３１）から前記選択信号と対応する前記情報端末（１）の通信機器情報を読み取り、前記ブルートゥースデバイス（３２）を前記情報端末（１）に接続させ、且つ前記回路ユニット（２２）に、文字信号を前記情報端末（１）に送信させる複数のボタン及び複数の装置切換ボタン（２４）を備え、異なる前記装置切換ボタン（２４）は前記回路ユニット（２２）に異なる前記データテーブル（２３１）に対応した選択信号を発生させ
、前記選択信号は前記メモリユニットに保存しない
ことを特徴とする複数切換可能なキーボード。」
２．本件補正に対する判断
　本件補正の内の上記補正事項は、補正前の請求項１に記載のあった発明を特定するために必要な事項である「メモリユニット」に関して、「選択信号は保存しない」と限定したものであり、かつ、補正の前後において、請求項１の産業上の利用分野及び解決しようとする課題は同一であるから、特許法第１７条の２第５項第２号の特許請求の範囲の減縮を目的とするものに該当する。
　また、特許法第１７条の２第３項、第４項に違反するところはない。
　そこで、本件補正後の請求項１に記載された発明（以下、「本願補正発明」という。）が特許出願の際独立して特許を受けることができるものであるか（特許法第１７条の２第６項において準用する同法第１２６条第７項の規定に適合するか）について、以下に検討する。
２−１．本願補正発明
　本願補正発明は、上記「１．」の〈補正後の請求項１〉の欄に転記したとおりのものである。
２−２．特許法第２９条第２項への該当性（進歩性）について
（１）引用例の記載、引用発明等
（引用例）
　原査定の拒絶の理由に引用された、本願の原出願の出願日前に頒布された刊行物である、登録実用新案第３１５５５７８号公報（以下、「引用例」という。）には、図面とともに以下の記載がある。
ａ）「【０００１】
  本考案は、切替送信用入力装置に関し、特に、
無線通信規格により複数の情報処理システムと交信することができる切替送信用入力装置
ｂ）「【００１５】
  以下、本考案の実施の形態を図面に基づいて説明する。
  本考案に係る一実施形態の切替送信用入力装置は、無線送信方式により、一つの入力装置と、少なくとも一つの情報処理システムと、を通信可能に接続する。図１を参照する。図１に示すように、入力装置２には、ユーザ側無線送受信機が設けられ、前記ユーザ側無線送受信機は、少なくとも一つの機器側無線送受信機に合せて、少なくとも一つの情報処理システム１と情報を交信可能である。本実施形態では、前記機器側無線送受信機が情報処理システム１であり、前記ユーザ側無線送受信機が入力装置２であり、
情報処理システム１と入力装置２との交信はブルートゥース送受信機３１、３２を利用
入力装置２は、マイクロ制御ユニット２１と、回路ユニット２２と、メモリユニット２３と、を含
【００１６】
  
ブルートゥース送受信機３２は、周囲の通信接続可能な情報処理システム１の存在を検知しているときに、メモリユニット２３に各情報処理システム１の個別末識別用（審判注：「個別末識別用」は「個別端末識別用」の誤記と認める。）の装置識別コード
と個人用識別番号の装置授権コード
とを取得して保存
メモリユニット２３には、更に、各組の装置識別コードと装置授権コードとに対応する装置選択コードを保存
前記各装置選択コードは、一組の装置識別コードと装置授権コードとに対応し、アクセスのインデックスとされ、
情報処理システムレコード２３１を形成
【００１７】
  
回路ユニット２２は、キーの押下などによるユーザの操作によってユーザの選定した装置選択コードを出力し、前記選定した装置選択コードはマイクロ制御ユニット２１に出力
マイクロ制御ユニット２１は、インデックスとしての装置選択コードに基づいて、前記装置選択コードに対応する装置識別コードと装置授権コードとをメモリユニット２３から読み取る
マイクロ制御ユニット２１は、ブルートゥース送受信機３２を介して、読み取った装置識別コードと装置授権コードに該当する情報処理システム１と通信接続する
【００１８】
  （第１実施形態）
  本実施形態の
入力装置２は、
キーボードであり、複数の装置切替ボタン２４を有
回路ユニット２２は、これらの装置切替ボタン２４の操作に応じて、装置切替ボタン２４に対応する装置選択コードを出力
　したがって、上記引用例の摘記事項及び図面に記載された構成によれば、上記引用例には、以下の発明（以下、「引用発明」という。）が開示されている。
（引用発明）
「無線通信規格により複数の情報処理システムと交信することができる切替送信用入力装置において、
　情報処理システム１と入力装置２との交信はブルートゥース送受信機３１、３２を利用し、
　入力装置２は、マイクロ制御ユニット２１と、回路ユニット２２と、メモリユニット２３と、を含み、
　ブルートゥース送受信機３２は、周囲の通信接続可能な情報処理システム１の存在を検知しているときに、メモリユニット２３に各情報処理システム１の個別端末識別用の装置識別コードと個人用識別番号の装置授権コードとを取得して保存し、
　メモリユニット２３には、更に、各組の装置識別コードと装置授権コードとに対応する装置選択コードを保存し、前記各装置選択コードは、一組の装置識別コードと装置授権コードとに対応し、アクセスのインデックスとされ、情報処理システムレコード２３１を形成し、
　回路ユニット２２は、キーの押下などによるユーザの操作によってユーザの選定した装置選択コードを出力し、前記選定した装置選択コードはマイクロ制御ユニット２１に出力し、
　マイクロ制御ユニット２１は、インデックスとしての装置選択コードに基づいて、前記装置選択コードに対応する装置識別コードと装置授権コードとをメモリユニット２３から読み取り、
　マイクロ制御ユニット２１は、ブルートゥース送受信機３２を介して、読み取った装置識別コードと装置授権コードに該当する情報処理システム１と通信接続するものであり、
　入力装置２は、キーボードであり、複数の装置切替ボタン２４を有し、
　回路ユニット２２は、これらの装置切替ボタン２４の操作に応じて、装置切替ボタン２４に対応する装置選択コードを出力する
　入力装置。」
（周知例１）
　本願の原出願の出願日前に頒布された刊行物である、特開２００３−２３４２９号公報（以下、「周知例１」という。）には、図面とともに以下の記載がある。
ｃ）「【０００１】
【発明の属する技術分野】本発明は、
ブルートゥース機器などに係り、複数の機器のうち、所定の機器を指定してデータを伝送する無線伝送装置
ｄ）「【００１８】
【発明の実施の形態】以下、本発明の実施の形態を、図面を参照して説明する。
Ａ．実施形態の構成
図１は、本発明の実施形態によるブルートゥース伝送装置の略構成を示すブロック図である。ＲＦ送受信部１は、ブルートゥース規格による無線信号の送受信を行なう。ベースバンド制御部２は、ＲＦ送受信部を制御し、通信リンクの制御、周波数ホッピング管理、パケットの再送、誤り訂正などの各種信号処理を制御する。
【００１９】
操作部３は、
複数の状態（本実施形態では３接点）を有するスライドスイッチ４からなる
スライドスイッチ４の投入位置（接点位置）は、各々、登録番号１，２，３に固定的に対応付けられており、該スライドスイッチ４の投入位置に応じて、どこに接続機器を登録したか、どこに登録された接続機器と接続するかが明示的に認識できるようになっている
【００２０】ＣＰＵ５は、ブルートゥース機器の図示しない各部や上記ベースバンド制御部２などを制御する。特に、本実施形態では、ＣＰＵ５は、操作部３のスライドスイッチ４の状態（投入位置または投入接点）を検出し、該スライドスイッチ４の状態に応じて、接続機器（スレーブ）の登録、接続を行なう。
【００２１】
メモリ６は、
検出されたスライドスイッチ４の状態と、接続機器のアドレスＢＤＡＤＤＲとを対応付けて記憶する
【００２２】Ｂ．実施形態の動作
Ｂ−１．登録動作
まず、
マスタとなるブルートゥース機器の周辺に存在する接続機器を登録する際の動作
【００２３】そして、チェック結果に従って、スライドスイッチ４がスライド位置Ｐ１（登録番号１）に投入されているか否かを判断する（ステップＳ１６）。ここで、
スライドスイッチ４がスライド位置Ｐ１に投入されている場合には、
メモリのアドレスＡＤ１に、取得したアドレスＢＤＡＤＤＲを格納する
【００２４】一方、スライド位置Ｐ１に投入されていない場合には、スライド位置Ｐ２（登録番号２）に投入されているか否かを判断する（ステップＳ２０）。ここで、
スライドスイッチ４がスライド位置Ｐ２に投入されている場合には、
メモリのアドレスＡＤ２に、取得したアドレスＢＤＡＤＤＲを格納する
【００２５】また、
スライドスイッチ４がスライド位置Ｐ１，Ｐ２のいずれにも投入されていない場合には、スライド位置Ｐ３（登録番号３）に投入されていると判断し、
メモリのアドレスＡＤ２（審判注：「ＡＤ２」は「ＡＤ３」の誤記と認める。）に、取得したアドレスＢＤＡＤＤＲを格納する
【００２６】以上により、接続機器が登録されたことになる。複数の機器を続けて登録するときには、また、インクワイアリ手順を実施し、別のアドレスＢＤＡＤＤＲを取得した後に、上述した登録動作を実施する。
【００２７】なお、上述した動作では、アドレスＢＤＡＤＤＲを取得した後に、スライドスイッチ４の状態をチェックしているが、これに限らず、予めスライドスイッチ４の状態をチェックした後にアドレスＢＤＡＤＤＲを取得するようにしてもよい。
【００２８】また、図４に示すように、上述した実施形態では、
スライドスイッチ４の状態（投入位置）とアドレスＢＤＡＤＤＲを格納するアドレス位置とが対応しているが、これ以外に、
スライドスイッチ４の状態を示す識別子Ｄ１（登録番号１），Ｄ２（登録番号２），Ｄ３（登録番号３）に対応付けて、アドレスＢＤＡＤＤＲを格納するようにすれば、スライドスイッチ４の状態（投入位置）と、メモリ６上のアドレスとは必ずしも対応している必要はない
【００２９】Ｂ−２．接続動作
次に、
登録された接続機器のいずれかに接続する際の動作
【００３０】そして、チェック結果に従って、スライドスイッチ４がスライド位置Ｐ１（登録番号１）に投入されているか否かを判断する（ステップｓ３４）。ここで、
スライドスイッチ４がスライド位置Ｐ１に投入されている場合には、メモリのアドレスＡＤ１からアドレスＢＤＡＤＤＲを読み出す
【００３１】一方、スライド位置Ｐ１に投入されていない場合には、スライド位置Ｐ２（登録位置２）に投入されているか否かを判断する（ステップＳ３８）。ここで、
スライドスイッチ４がスライド位置Ｐ２に投入されている場合には、メモリのアドレスＡＤ２からアドレスＢＤＡＤＤＲを読み出す
【００３２】また、
スライドスイッチ４がスライド位置Ｐ１，Ｐ２のいずれにも投入されていない場合には、スライド位置Ｐ３（登録番号３）に投入されていると判断し、メモリのアドレスＡＤ３からアドレスＢＤＡＤＤＲを読み出す
【００３３】そして、
読み出したアドレスＢＤＡＤＤＲを用いて接続機器との接続（ページ手順）を行なう
【００３４】Ｃ．第１変形例
次に、本発明の実施形態の第１変形例について説明する。ここで、図７は、本発明の実施形態の第１変形例を説明するための模式図である。前述した実施形態では、複数の状態を取ることができるスイッチ（スライドスイッチまたはロータリスイッチ）のみとしたが、図７に示すように、１つのオン／オフ状態を取ることができるスイッチ１０と、複数の状態を表示可能な、例えば、３つＬＥＤ１１ａ，１１ｂ，１１ｃからなる簡易な表示装置１１と組み合わせ、スイッチを押下する度に、表示装置１０の点灯位置を順次変えるとともに、アドレスＢＤＡＤＤＲの格納位置（あるいは読み出し位置）を順次変えるようにしてもよい。この場合、スイッチ１０を押下する回数によって、アドレスＢＤＡＤＤＲの格納位置、あるいはアドレスＢＤＡＤＤＲを読み出す位置（接続機器）を指定することが可能となる。
【００３５】Ｄ．第２変形例
次に、本発明の実施形態の第２変形例について説明する。ここで、図８は、本発明の実施形態の第２変形例を説明するための模式図である。前述した
複数の状態（接点）を有するスイッチの代わりに、
１つのオン／オフ状態を取ることができるスイッチ１２ａ，１２ｂ，１２ｃを設けるようにしてもよい
登録位置１に登録する場合には、スイッチ１２ａを押下し、登録位置２に登録する場合には、スイッチ１２ｂを押下し、登録位置３に登録する場合には、スイッチ１２ｃを押下する
接続機器を指定する際には、接続しようとする機器のアドレスＢＤＡＤＤＲが登録されている位置のスイッチを押下する
【００３６】本実施形態によれば、従来技術で必要とされていた、接続先を選択するための表示装置が不要となる。すなわち、
登録した機器（に対応するアドレスＢＤＡＤＤＲ）に１対１に対応付けられた、スライドスイッチ４の位置（実施形態）、あるいは、
押下するスイッチ１２ａ〜１２ｃの位置
で、ユーザは容易に接続先を指定することができる
　したがって、上記周知例１の摘記事項及び図面に記載された構成によれば、上記周知例１には、以下の技術（以下、「周知例１記載の技術」という。）が開示されている。
（周知例１記載の技術）
「スライドスイッチ４の状態（投入位置）と、接続機器のアドレスＢＤＡＤＤＲを格納するメモリのアドレス位置とが対応しており、スライドスイッチ４の状態（投入位置）に対応したメモリのアドレス位置から接続機器のアドレスＢＤＡＤＤＲを読み出す技術。」
（周知例２）
　本願の原出願の出願日前に頒布された刊行物である、特開２００４−３２６６０７号公報（以下、「周知例２」という。）には、図面とともに以下の記載がある。
ｅ）「【０００１】
【発明の属する技術分野】
本発明は、例えば
Ｂｌｕｅｔｏｏｔｈ（ＴＭ）
を用いて複数の電子機器を操作する入力装置
ｆ）「【００１１】
本システムは、１台の入力装置１と、この入力装置によって操作される複数の電子機器２（２ａ、２ｂ、２ｃ）からなる
入力装置１は、例えばマウスやキーボード等から構成され、電子機器２ａ、２ｂ、２ｃを操作するための入力デバイスとして用いられるものである
【００１２】
この入力装置１と電子機器２ａ、２ｂ、２ｃとの間の接続手段は、例えばＢｌｕｅｔｏｏｔｈ（ＴＭ）等による無線電波が用いられる。即ち、入力装置１および電子機器２ａ、２ｂ、２ｃの夫々に無線通信機能を設け、所定の周波数帯域を有する無線電波を用いることにより、入力装置１によって各電子機器２ａ、２ｂ、２ｃの操作を行うことができる。
【００１３】
尚、入力装置１と電子機器２ａ、２ｂ、２ｃとの間の接続手段としては、特に無線電波に限定せず、例えば赤外線あるいはケーブル等を用いた有線による接続形態であっても良い。但し、赤外線の場合には両者間に障害物があると操作不能となる等の指向性の面で問題があったり、ケーブルによる接続の場合には多数の電子機器を対象とした際にケーブルが邪魔になる等の不具合が生じる。従って、無線電波による接続がより好ましい。
【００１４】
図２は、入力装置１の機能構成を示すブロック図である。
入力装置１は、
制御部１１、アドレス記憶部１２、入力部１３、切替スイッチ１４および無線通信部１５を備えている
【００１５】
制御部１１は、アドレス記憶部１２、入力部１３、切替スイッチ１４および無線通信部１５と接続しており、入力装置１全体の動作を制御するもので、後述する登録処理の制御を実行する登録手段や入力装置との接続を制御する通信制御手段に相当する。
【００１６】
制御部１１は、更にメモリ１１ａを有しており、当該入力装置１のキー情報として正当に当該入力装置１を保持するユーザのＰＩＮコード情報（Ｐｅｒｓｏｎａｌ  Ｉｄｅｎｔｉｆｉｅｒ  Ｎｕｍｂｅｒ  Ｃｏｄｅ  Ｉｎｆｏｒｍａｔｉｏｎ）と、履歴情報として以前に当該入力装置１にアクセスした電子機器２の識別情報とを記憶している。
【００１７】
このＰＩＮコード情報は、入力装置１のユーザ以外の者が当該入力装置１に接続することを防ぐために設けられている。従って、入力装置１に初めて接続する電子機器２に対しては、入力装置１は、無線通信確立後、まずＰＩＮコード情報を要求し、無線接続した電子機器２から送信されたＰＩＮコード情報と、メモリに記憶されたＰＩＮコード情報との照合処理を実行するようになっている。
【００１８】
アドレス記憶部１２は、後述する切替スイッチ１４と対応するよう電子機器の識別情報を記憶するもので、
切替え可能な電子機器の数に応じたメモリブロック１２Ａ、１２Ｂを予め保持しており、
【００１９】
例えば、
アドレス記憶部１２は、
登録処理の結果、切替スイッチ１４の「Ａ」位置に対応する操作対象電子機器として電子機器２ａの識別情報が登録されており、切替スイッチ１４の「Ｂ」位置に対応する操作対象電子機器として電子機器２ｂの識別情報が登録されている
【００２０】
切替スイッチ１４は、切替手段に相当し、入力装置１の図示せぬ表面に設けられている。そして、
切替スイッチ１４は、ユーザが操作対象となる電子機器２ａ、２ｂを切替えるためのものであり、
スライドすることにより第１の指示手段である「Ａ」あるいは第２の指示手段である「Ｂ」
のいずれかを指示するものである
【００２１】
尚、図４（ｂ）は、切替えスイッチ１４が入力装置１の電源スイッチを兼ねた構成となっている。また、本実施例ではスライド式のスイッチ構成を示したが、これに限らずボタン式で押すたびに機器を切替えることが可能な構成でも良い。
【００２２】
無線通信部１５は、入力装置１の周辺に設置されている電子機器２ａ、２ｂから無線送信された各種情報を受信したり、入力装置１に対して各種情報を無線送信するもので、通信手段に相当する。
【００２３】
そして、このような構成により、
制御部１１は、切替スイッチ１４のスライド操作に伴なってアドレス記憶部１２を参照し、操作可能な複数の電子機器２ａ、２ｂの中から操作対象となる電子機器を選択し、無線通信部１５を介して無線通信を確立する
【００２４】
図５は、電子機器２（２ａ、２ｂ）の機能構成を示すブロック図である。電子機器２は、図５に示すように、電子機器１全体の動作を制御する制御部２２を備えた機器本体２１、入力部２３、表示部２４、および入力装置１と無線で各種情報の送受信を行う無線通信部２５を備えている。そして、電子機器２は、無線通信部２５を介して入力装置１から送信された情報を受信すると、制御部２２によって受信情報を解析し、受信情報に対応した処理を実行する。
【００２５】
次に、図６乃至図８は、本システムにおける入力装置１へ操作対象とする電子機器を登録する処理を説明するためのフローチャート図である。
【００２６】
まず、図６に示すように、入力装置１及び各電子機器２の電源が入った状態で、まず
ユーザによって入力装置１の切替スイッチ１４が例えば「Ａ」の位置にセットされる
すると、制御部１１は、アドレス記憶部１２のスイッチ「Ａ」に対応するメモリブロック１２Ａの内容を確認する
【００２７】
ＳＴ１０１による確認の結果、アドレス記憶部１２のスイッチ「Ａ」に対応するメモリブロック１２Ａにはまだ何も（いずれの電子機器も）登録されていないと判断されると（ＳＴ１０２のＮｏ）、制御部１１は、そのまま待機状態へと移行する。
【００２８】
ＳＴ１０１による
確認の結果、アドレス記憶部１２のスイッチ「Ａ」に対応するメモリブロック１２Ａには既に電子機器が登録されていると判断されると
接続処理を実行し、登録されている電子機器との接続を確立
【００２９】
即ち、図７に示すように、制御部１１は、まずＳＴ１０１によるスイッチ操作に基づいてユーザによって入力装置１の切替スイッチ１４が例えば「Ｂ」から「Ａ」に切替えられたと判断すると（ＳＴ５０１のＹｅｓ）、スイッチ切替え前に接続していた電子機器（例えば２ｂ）に対して、無線通信部１５を介して、接続していた電子機器２ｂに対して接続の切断を通知する送信データを出力することにより、切断処理を実行する（ＳＴ５０２）。
【００３０】
また、制御部１１は、ＳＴ１０１でアドレス記憶部１２から読み出された電子機器２ａの識別情報を用いて、無線通信部１５を介して、選択された電子機器２ａに対して、接続を通知する送信データを出力することにより、接続処理を実行する（ＳＴ５０３）。そして、待機状態へと移行し、図６に示す処理へと進む。」（【００１１】〜【００３０】の記載。）
　したがって、上記周知例２の摘記事項及び図面に記載された構成によれば、上記周知例２には、以下の技術（以下、「周知例２記載の技術」という。）が開示されている。
（周知例２記載の技術）
「アドレス記憶部１２は、切替スイッチ１４と対応するよう電子機器の識別情報を記憶し、
　例えば、アドレス記憶部１２は、登録処理の結果、切替スイッチ１４の「Ａ」位置に対応する操作対象電子機器として電子機器２ａの識別情報が登録されており、切替スイッチ１４の「Ｂ」位置に対応する操作対象電子機器として電子機器２ｂの識別情報が登録されており、
　切替スイッチ１４は、ユーザが操作対象となる電子機器２ａ、２ｂを切替えるためのものであり、スライドすることにより第１の指示手段である「Ａ」あるいは第２の指示手段である「Ｂ」のいずれかを指示するものであり、
　制御部１１は、切替スイッチ１４のスライド操作に伴なってアドレス記憶部１２を参照し、操作可能な複数の電子機器２ａ、２ｂの中から操作対象となる電子機器を選択する技術。」
（２）対比、一致点、相違点
　本願補正発明と引用発明とを対比する。
あ）引用発明の「無線通信規格により複数の情報処理システムと交信することができる切替送信用入力装置」の「入力装置２」は、「キーボード」であるから、引用発明の「入力装置」は、本願補正発明の「複数切換可能なキーボード」に相当する。
い）引用発明は「情報処理システム１と入力装置２との交信はブルートゥース送受信機３１、３２を利用」し、「ブルートゥース送受信機３２は、周囲の通信接続可能な情報処理システム１の存在を検知しているときに、メモリユニット２３に各情報処理システム１の個別端末識別用の装置識別コードと個人用識別番号の装置授権コードとを取得して保存」するものであるから、引用発明の「情報処理システム１」は、本願補正発明の「情報端末（１）」に、引用発明の「個別端末識別用の装置識別コードと個人用識別番号の装置授権コード」は、本願補正発明の「通信機器情報」に、それぞれ相当し、引用発明の「ブルートゥース送受信機３２」は、本願補正発明の「複数の接続可能な情報端末（１）から複数組の通信機器情報を取得するブルートゥースデバイス（３２）」に相当する。
う）引用発明の「メモリユニット２３」は、「各情報処理システム１の個別端末識別用の装置識別コードと個人用識別番号の装置授権コード」が「保存」されるものであり、「メモリユニット２３には、更に、各組の装置識別コードと装置授権コードとに対応する装置選択コードを保存し、前記各装置選択コードは、一組の装置識別コードと装置授権コードとに対応し、アクセスのインデックスとされ、情報処理システムレコード２３１を形成」するものであるから、引用発明の「情報処理システムレコード２３１」は、本願補正発明の「データテーブル（２３１）」に相当し、引用発明の「メモリユニット２３」は、本願補正発明の「予め複数のデータテーブル（２３１）が設定されるメモリユニット（２３）」に相当する。
え）引用発明は「ブルートゥース送受信機３２は、周囲の通信接続可能な情報処理システム１の存在を検知しているときに、メモリユニット２３に各情報処理システム１の個別端末識別用の装置識別コードと個人用識別番号の装置授権コードとを取得して保存」し、「マイクロ制御ユニット２１は、インデックスとしての装置選択コードに基づいて、前記装置選択コードに対応する装置識別コードと装置授権コードとをメモリユニット２３から読み取り」、「マイクロ制御ユニット２１は、ブルートゥース送受信機３２を介して、読み取った装置識別コードと装置授権コードに該当する情報処理システム１と通信接続するもの」であるから、引用発明の「マイクロ制御ユニット２１」は、「メモリユニット２３」、「ブルートゥース送受信機３２」と電気的に接続され、「ブルートゥース送受信機３２」が取得した各コードを「メモリユニット２３」に保存するものであることは明らかであり、引用発明の「マイクロ制御ユニット２１」は、本願補正発明の「前記情報端末（１）の通信機器情報を前記メモリユニット（２３）の前記データテーブル（２３１）に保存し、前記ブルートゥースデバイス（３２）、前記メモリユニット（２３）と電気的に接続される制御ユニット（２１）」に相当する。
お）引用発明の「回路ユニット２２は、キーの押下などによるユーザの操作によってユーザの選定した装置選択コードを出力」するものであるから、引用発明の「装置選択コード」は本願補正発明の「使用者の操作により対応する選択信号」に相当し、引用発明の「回路ユニット２２」は、本願補正発明の「使用者の操作により対応する選択信号を発信する回路ユニット（２２）」に相当する。
か）引用発明の「マイクロ制御ユニット２１は、インデックスとしての装置選択コードに基づいて、前記装置選択コードに対応する装置識別コードと装置授権コードとをメモリユニット２３から読み取り」、「ブルートゥース送受信機３２を介して、読み取った装置識別コードと装置授権コードに該当する情報処理システム１と通信接続する」ことは、本願補正発明の「前記制御ユニット（２１）は前記メモリユニット（２３）の前記データテーブル（２３１）から前記選択信号と対応する前記情報端末（１）の通信機器情報を読み取り、前記ブルートゥースデバイス（３２）を前記情報端末（１）に接続」することに相当する。
き）引用発明の「入力装置２は、キーボードであり、複数の装置切替ボタン２４を有し、」「回路ユニット２２は、これらの装置切替ボタン２４の操作に応じて、装置切替ボタン２４に対応する装置選択コードを出力する」ものである。
　ここで、「キーボード」が、当該「キーボード」と通信接続される「情報処理システム１」に対して送信される「文字信号」に対応する「複数のボタン」を有するのは明らかである。
　そして、「複数の装置切替ボタン２４」の操作に応じて、「回路ユニット２２」が「装置選択コード」を出力することを考慮すれば、前記「キーボード」が有することが明らかな「複数のボタン」の操作に応じて、「回路ユニット２２」が「文字信号」を出力するのが自然である。
　したがって、引用発明の「情報処理システム１」に対して送信される「文字信号」に対応する「複数のボタン」は、本願補正発明の「文字信号を前記情報端末（１）に送信させる複数のボタン」に、引用発明の「複数の装置切替ボタン２４」は、本願補正発明の「複数の装置切換ボタン（２４）」にそれぞれ相当し、引用発明の「キーボード」である「入力装置２」がこれらのボタンを備えることは、本願補正発明の「前記回路ユニット（２２）に、文字信号を前記情報端末（１）に送信させる複数のボタン及び複数の装置切換ボタン（２４）を備え」ることに相当する。
く）引用発明の「回路ユニット２２は、これらの装置切替ボタン２４の操作に応じて、装置切替ボタン２４に対応する装置選択コードを出力する」ものである。
　そして、引用発明は、「インデックスとしての装置選択コードに基づいて、前記装置選択コードに対応する装置識別コードと装置授権コードとをメモリユニット２３から読み取」るものであり、また、「各装置選択コードは、一組の装置識別コードと装置授権コードとに対応し、アクセスのインデックスとされ、情報処理システムレコード２３１を形成」するものであるから、引用発明は、異なる「装置切換ボタン２４」は「回路ユニット２２」に異なる「情報処理システムレコード２３１」に対応した「装置選択コード」を発生させるといい得る構成を有するものであり、本願補正発明の「異なる前記装置切換ボタン（２４）は前記回路ユニット（２２）に異なる前記データテーブル（２３１）に対応した選択信号を発生させる」ことに相当する構成を有するといえる。
　したがって、両者は以下の一致点と相違点を有する。
〈一致点〉
「複数切換可能なキーボードであって、
　複数の接続可能な情報端末（１）から複数組の通信機器情報を取得するブルートゥースデバイス（３２）と、
　予め複数のデータテーブル（２３１）が設定されるメモリユニット（２３）と、
　前記情報端末（１）の通信機器情報を前記メモリユニット（２３）の前記データテーブル（２３１）に保存し、前記ブルートゥースデバイス（３２）、前記メモリユニット（２３）と電気的に接続される制御ユニット（２１）と、
　使用者の操作により対応する選択信号を発信する回路ユニット（２２）と、
　を備え、
　前記制御ユニット（２１）は前記メモリユニット（２３）の前記データテーブル（２３１）から前記選択信号と対応する前記情報端末（１）の通信機器情報を読み取り、前記ブルートゥースデバイス（３２）を前記情報端末（１）に接続させ、且つ前記回路ユニット（２２）に、文字信号を前記情報端末（１）に送信させる複数のボタン及び複数の装置切換ボタン（２４）を備え、異なる前記装置切換ボタン（２４）は前記回路ユニット（２２）に異なる前記データテーブル（２３１）に対応した選択信号を発生させる
ことを特徴とする複数切換可能なキーボード。」
〈相違点〉
　本願補正発明の「データテーブル（２３１）に対応した選択信号」は、「メモリユニットに保存しない」ものであるのに対し、引用発明の「装置選択コード」は、「各組の装置識別コードと装置授権コードとに対応」して「メモリユニット２３」に保存されるものであり、「一組の装置識別コードと装置授権コードとに対応し、アクセスのインデックスとされ」るものである点。
（３）判断
〈相違点〉について
　上記周知例１記載の技術、上記周知例２記載の技術の様に、スイッチの状態とメモリのアドレスとを対応させ、スイッチの状態に応じたメモリのアドレスから情報を読み出すことは、本願の原出願の出願日前周知技術であったものと認められる。
　そして、「装置切替ボタン２４」の操作に応じて、対応するコードを「メモリユニット２３」から読み取るものである引用発明においても、上記周知技術である「スイッチの状態に応じたメモリのアドレスから情報を読み出す」構成が有用かつ採用可能であることは、当業者には明らかである。また、引用発明においてそのような技術を採用することを妨げる事情はない。
　したがって、引用発明に上記周知技術を適用して、「装置切替ボタン２４の操作に応じて」出力する「インデックスとしての装置選択コードに基づいて」、「メモリユニット２３」からコードを読み取ることに代えて、「スイッチの状態に応じたメモリのアドレス」からコードを読み取る構成とすることは、当業者が容易になし得たことである。
　そして、「スイッチの状態に応じたメモリのアドレス」からコードを読み取る構成では、メモリのアドレスを指定する信号である「データテーブル（２３１）に対応した選択信号」は、「メモリユニットに保存しない」ものとなる。
　また、効果についてみても、引用発明に対する上記周知技術の採用に伴って予測し得ない格別顕著なものが本願補正発明にあるとも認められない。
（４）まとめ
　以上のとおり、本願補正発明は、引用発明及び周知技術に基づいて、当業者が容易に発明をすることができたものであるから、特許法第２９条第２項の規定により特許出願の際独立して特許を受けることができないものである。
２−３．むすび
　以上のとおり本願補正発明は、特許法第２９条第２項の規定により、特許出願の際独立して特許を受けることができないものであるから、本件補正は、特許法第１７条の２第６項において準用する同法第１２６条第７項の規定に違反するので、同法第１５９条第１項の規定において読み替えて準用する同法第５３条第１項の規定により却下すべきものである。
第３．本願発明について
１．本願発明
　本件補正は上記のとおり却下されたので、本願の請求項１に係る発明（以下、「本願発明」という。）は、平成２７年９月２５日付けの手続補正書の請求項１に記載されたとおりのものであり、上記「第２．」の「１．」の〈補正前の請求項１〉の欄に転記したとおりのものである。
２．引用例の記載、引用発明
　原査定の拒絶の理由に引用された引用例の記載事項、引用発明は、上記「第２．」の「２−２．」の「（１）」の欄に記載したとおりである。
３．対比
　本願発明は、上記「第２．」で検討した本願補正発明から、「選択信号はメモリユニットに保存しない」との限定した構成を省くものである。
　そうすると、本願発明は、本願補正発明から、前記「第２．」の「２−２．」の「（２）」に記載した〈相違点〉に係る構成を省いたものであり、本願発明と引用発明とを対比すると、両者は、全ての発明特定事項において一致し、両者の間に相違点はない。
　したがって、本願発明は、引用例１に記載された発明である。
　
４．むすび
　以上のとおり、本願の請求項１に係る発明は、特許法第２９条第１項第３号の規定により特許を受けることができない。
　したがって、本願は、他の請求項について検討するまでもなく、拒絶されるべきものである。
　よって、結論のとおり審決する。